(57)【特許請求の範囲】
【請求項１】
リアルロフト（Ｒ）が６°以上、１１°以下で、ゴルフクラブのグリップの一部をクランプした振動数（Ｆ）が３．３３Ｈｚ（２００ｃｐｍ）以上、４．００Ｈｚ（２４０ｃｐｍ）以下で、（Ｆ）≦−（Ｒ）／６＋３３／６であることを特徴とするゴルフクラブ。
【請求項２】
シャフトのトルクが６．０〜１０．０°であることを特徴とする請求項１に記載のゴルフクラブ。
【発明の詳細な説明】
【０００１】
【発明の属する技術分野】
本発明はゴルフクラブに関する。
【０００２】
【従来の技術及びその課題】
従来、ゴルフクラブは、ドライバーを例にすると、ヘッドのリアルロフトが小さい（角度が立っている）ものと、ヘッドのリアルロフトが大きい（角度が寝ている）ものがあり、夫々ゴルフプレーヤーの好みに応じて使用されている。
【０００３】
上記リアルロフトが小さいゴルフクラブは、打球時の球離れが早いため、コントロール性は悪いが、スピン量が少なく、風の影響を受けにくい打球ができる。一方、リアルロフトが大きいゴルフクラブは、打球時の球離れが遅いため、コントロール性が良い反面、スピン量が多くなり、風の影響を受けやすくなってしまう（スピン量が多いと球が吹き上がってしまい、飛距離を稼げない）。
【０００４】
通常、これらのゴルフクラブは、上級者が前者のタイプを使用し、中級者や初級者（シニア等を含む）が後者のタイプを使用する傾向にある。また、従来、リアルロフトの小さいヘッドには、打球時の球離れを早くする硬いシャフトが、リアルロフトの大きいヘッドには、打球時の球離れを遅くする柔らかいシャフトが装着される。このため、従来の上級者に適したゴルフクラブは、飛距離は稼げるものの方向性が悪く、初級者に適したゴルフクラブは、飛距離は稼げないものの方向性が良い、という特性になり、ゴルフプレーヤーは、メリット・デメリットをそれぞれ有する上記２つのタイプのゴルフクラブの内、自分に合ったものを選択するしかないのが現状となっている。
【０００５】
本発明は、上記した現状に鑑み、上級者から初級者まで、それぞれのプレーヤにとって方向性が良好で、風に影響され難いゴルフクラブを提供することを目的とする。
【０００６】
【課題を解決するための手段】
上記目的を達成するために，本発明のゴルフクラブは、リアルロフト（Ｒ）が６°以上、１１°以下で、ゴルフクラブのグリップの一部をクランプした振動数（Ｆ）が３．３３Ｈｚ（２００ｃｐｍ）以上、４．００Ｈｚ（２４０ｃｐｍ）以下で、（Ｆ）≦−（Ｒ）／６＋３３／６であることを特徴とする。
【０００７】
【発明の概要】
本発明者は、上述したような現状に鑑み、まず、初級者、中級者、上級者向けに作成されている従来の様々なタイプのゴルフクラブに関し、それぞれヘッドのリアルロフトと、それに装着されているシャフトの硬さとの関係について、その分布状況を把握すると共に、各ゴルフクラブについて、予め想定されている上級者、中級者、初心者に実際に打球してもらい、そのスピン量やコントロール性（方向性）に関する測定を行なった。
【０００８】
なお、この測定は以下の定義、条件のもとで行なった。
【０００９】
［リアルロフト］
図１に示すように、ヘッド１の重心Ｇからフェース１ａに垂線を下ろし、フェース１ａとの交点をＳとする（この点は、いわゆるスイートスポットと称せられる）。そして、このスイートスポットＳにおける、シャフト１０の軸線Ｘとフェース１ａがなす角度θがリアルロフトである。
【００１０】
［シャフトの硬さ］
シャフトの硬さについては、その硬さの相違によって異なるゴルフクラブの振動数を、その測定の指標とする。これは、シャフトが硬いとゴルフクラブとして振動数が大きくなり、シャフトが柔らかいとゴルフクラブとして振動数が小さくなる傾向にあるからである。この場合、振動数は、図２に示すようなゴルフクラブ曲げ振動計２０（品名「GOLF CLUB TIMING HARMONIZER（製造元：フジクラゴム工業株式会社）」）を用いて測定する。具体的な振動数は、クランプ２１によってグリップ１５の一部（グリップ１５の基端から先端に向かう領域７インチ（１７８ｍｍ）の部分）をクランプした後、ヘッド１に対して下方に向けて任意の負荷を加えてシャフト１０を振動させ、１分間当たりの振動数を測定することによって得られる（測定単位はｃｐｍ）。
【００１１】
［ヘッドスピード］
ボールをインパクトする瞬間のヘッドの速度を測定する。この場合、ヘッドスピードは、それぞれ上級者が４４〜４８ｍ／ｓ、中級者が４０〜４４ｍ／ｓ、初級者、シニアが３６〜４０ｍ／ｓとする。
【００１２】
［コントロール性（方向性）］
各ヘッドスピード帯別に試打者１０人について１０球づつ試打試験を行なう。そして、目標に対して、左右のブレが２０ｍ以内を方向性の良いショットとし、その割合を求める。ただし、ダフリ、トップなどの明らかなミスショットは打数に数えない。
【００１３】
［スピン量］
ボールにマーキングをしておき、ストロボカメラを用いて、打ち出し直後のスピン量を測定する（測定単位はｒ．ｐ．ｍ）。なお、上記試打試験においては、ヘッドスピード帯別に平均値を求める。
【００１４】
［シャフトのトルク］
シャフト１０のトルクは、図３（ａ）に示すように、シャフト１０からヘッド１及びグリップ１２を取り外してシャフト単体にした後、シャフト１０の基端から１７３ｍｍの位置までをチャックＴ１し、更に、シャフト１０の先端からヘッド１０のネック端面までをチャックＴ２する。そして、シャフト１０の先端のチャック部分Ｔ２に、所定のトルク（１３．８２５ｋｇ・ｃｍ）を加えたときに、シャフト１０を矢印Ｍ方向から見て、基準点Ｐが図３（ｂ）から図３（ｃ）に示すように回転した角度θ１をシャフトのトルクとする。
【００１５】
図４は、リアルロフトを横軸とし、ゴルフクラブの振動数を縦軸として、従来から市販されている様々なゴルフクラブについてその分布を示したものである。従来のゴルフクラブは、上述したように、上級者はリアルロフトが小さいゴルフクラブを使用し、中級者、初級者はリアルロフトが大きいゴルフクラブを使用する傾向にある。また、シャフトについては、通常、上級者向けには硬いシャフトが、中級者や初級者には柔らかいシャフトが装着されている。
【００１６】
このため、図４に示す分布状況からすると、概略的にＡ群（リアルロフトが１２°〜１４°、振動数が２３０ｃｐｍ（３．８３Ｈｚ）〜２５０ｃｐｍ（４．１７Ｈｚ））の領域内にあるゴルフクラブが初級者向け、Ｂ群（リアルロフトが１１°〜１３°、振動数が２４０ｃｐｍ（４．００Ｈｚ）〜２６０ｃｐｍ（４．３３Ｈｚ））の領域内にあるゴルフクラブが中級者向け、Ｃ群（リアルロフトが１０°〜１２°、振動数が２５０ｃｐｍ（４．１７Ｈｚ）〜２７０ｃｐｍ（４．５０Ｈｚ））の領域内にあるゴルフクラブが上級者向けとして適したゴルフクラブと把握することができる。
【００１７】
ここで、上記した各群において分布しているゴルフクラブの内、典型的なものを１本抽出し、夫々上級者、中級者、初級者（シニアを含む）によって試打試験を行なった。具体的には、Ａ群からリアルロフトが１３°、振動数が２４０ｃｐｍ（４．００Ｈｚ）のゴルフクラブを抽出し、Ｂ群からリアルロフトが１２°、振動数が２５０ｃｐｍ（４．１７Ｈｚ）のゴルフクラブを抽出し、Ｃ群からリアルロフトが１１°、振動数が２６０ｃｐｍ（４．３３Ｈｚ）のゴルフクラブを抽出し、それぞれ初級者がＡ群から抽出したゴルフクラブを、中級者がＢ群から抽出したゴルフクラブを、上級者がＣ群から抽出したゴルフクラブを用いて上述した試打試験を行なった。
【００１８】
その結果、初級者向けのゴルフクラブ（Ａ群から抽出）では、スピン量が３８００ｒ．ｐ．ｍで方向性が６２％、中級者向けのゴルフクラブ（Ｂ群から抽出）では、スピン量が３７００ｒ．ｐ．ｍで方向性が４９％、上級者向けのゴルフクラブ（Ｃ群から抽出）では、スピン量が３５００ｒ．ｐ．ｍで方向性が４２％という結果が得られた。
【００１９】
通常、スピン量に関しては３５００ｒ．ｐ．ｍを超えると、風の影響を受けて吹き上がりやすくなり飛距離が伸びない傾向にあり、また、方向性については、おおよそ５０％以上でないと良好なものとはいえない。すなわち、従来、一般化されているゴルフクラブは、初級者、中級者、上級者に適しているといわれる構成であっても、リアルロフトとシャフトの硬さとのバランスが良くなく、飛距離および方向性を同時に満足できるような構成にはなっていない。
【００２０】
本発明は、このような従来の構成に対して、初級者用、中級者用、上級者用のいずれにおいても、リアルロフトを小さくしてスピン量を減らして風の影響を受け難くすると共に、従来装着されていたものより柔らかいシャフトを用いることで打球時においてボールとの接触時間を長くし、その方向性の向上を図ろうとするものである。すなわち、作成されるゴルフクラブについては、リアルロフトとゴルフクラブの振動数に関し、図４に示す直線Ｓ以下の部分に分布するように構成することを特徴とする。
【００２１】
この直線Ｓは、振動数Ｆ（単位はＨｚ）とリアルロフトＲ（単位は度（°））の関数として表すことができ、（Ｆ）＝−（Ｒ）／６＋３３／６で定義することができる。なお、図４に示す直線Ｓ以下の部分では、初級者、中級者、上級者に対応するゴルフクラブは、概略的に、それぞれＡ´群（リアルロフトが９°〜１１°、振動数が２００ｃｐｍ（３．３３Ｈｚ）〜２２０ｃｐｍ（３．６７Ｈｚ））の領域内、Ｂ´群（リアルロフトが８°〜１０°、振動数が２１０ｃｐｍ（３．５０Ｈｚ）〜２３０ｃｐｍ（３．８３Ｈｚ））の領域内、Ｃ´群（リアルロフトが７°〜９°、振動数が２２０ｃｐｍ（３．６７Ｈｚ）〜２４０ｃｐｍ（４．００Ｈｚ））の領域内に存在する。
【００２２】
このように、本発明は、スピン量を減らし、かつ打球の方向性の安定を図る（両者のバランスの向上を図る）という見地から、振動数とリアルロフトが、上記した直線Ｓ以下の領域内になるようにする。ただし、直線Ｓ以下の領域内であっても、リアルロフトが大きくなり過ぎるとスピン量が許容範囲を超えてしまい、逆に小さくなりすぎると打球の弾道が低くなり過ぎてしまうことから、リアルロフトは、６°≦（Ｒ）≦１１．０°とする。また、シャフトの硬さ（ゴルフクラブの振動数）についても、柔らか過ぎる（振動数が小さ過ぎる）とフェースの中心で打球することが難しくなり、硬過ぎる（振動数が大き過ぎる）とボールとの接触時間が短く、また打感も硬いものとなるため、２００ｃｐｍ（３．３３Ｈｚ）≦（Ｆ）≦２４０ｃｐｍ（４．００Ｈｚ）とする。
【００２３】
さらに、上記したような構成では、シャフトのトルクを６．０°〜１０．０°となるように形成することが望ましい（一般的なシャフトのトルクは３．０°〜７．０°）。このように、比較的捩れやすいシャフトに構成しておくことで、打球時において、ボールとの接触時間を長くすることができ、より方向性の向上が図れるようになる。
【００２４】
【実施例】
次に、図４に示す分布から、初級者、中級者、上級者に対応するゴルフクラブについて、それぞれ３本を抽出し、上記した試打試験を行なった。具体的には、ゴルフクラブＡ１〜Ａ３については初級者を対象として、ゴルフクラブＢ１〜Ｂ３については中級者を対象として、ゴルフクラブＣ１〜Ｃ３については上級者を対象として、それぞれ試打試験を行なった。この場合、ゴルフクラブＡ１，Ｂ１，Ｃ１が従来のゴルフクラブであり、それ以外は本発明に基づくゴルフクラブである。すなわち、ゴルフクラブＡ２，Ｂ２，Ｃ２は、それぞれ直線Ｓ上にあるゴルフクラブであり、ゴルフクラブＡ３，Ｂ３，Ｃ３は、それぞれ直線Ｓ以下の領域にあるゴルフクラブである。
【００２５】
また、各ゴルフクラブについては、条件を同一にするために、初級者が試打するゴルフクラブＡ１〜Ａ３は、シャフトが４５インチ、スイングバランスＤ２、クラブ総重量を２８０ｇとし、中級者が試打するゴルフクラブＢ１〜Ｂ３は、シャフトが４５インチ、スイングバランスＤ３、クラブ総重量を２９５ｇとし、上級者が試打するゴルフクラブＣ１〜Ｃ３は、シャフトが４５インチ、スイングバランスＤ４、クラブ総重量を３１０ｇとした。
【００２６】
以下の表は、その測定結果を示す。
【００２７】
【表１】
0003735223.tif 000002
【００２８】
上述した測定結果から明らかなように、従来のゴルフクラブＡ１，Ｂ１，Ｃ１に対して、それぞれ本発明に基づくゴルフクラブＡ２，Ｂ２，Ｃ２が、さらにはゴルフクラブＡ２，Ｂ２，Ｃ２に対して、ゴルフクラブＡ３，Ｂ３，Ｃ３が、スピン量が減少して風の影響を受け難く（打球の吹き上がりが抑制される）なり、かつ方向性の安定が図れるようになった。
【００２９】
【発明の効果】
本発明によれば、上級者から初級者まで、それぞれのプレーヤにとって方向性が良好で、風に影響され難いゴルフクラブが提供される。
【図面の簡単な説明】
【図１】リアルロフトを説明する図。
【図２】ゴルフクラブの振動数の測定方法を説明する図。
【図３】（ａ）〜（ｃ）を含み、シャフトのトルクの測定方法を説明する図。
【図４】従来のゴルフクラブ、及び本発明に基づくゴルフクラブに関し、リアルロフトと振動数の分布を示したグラフ。
【符号の説明】
１  ヘッド
１ａ  フェース
１０  シャフト
１２  グリップ
【図１】
0003735223.tif 000003
【図２】
0003735223.tif 000004
【図３】
0003735223.tif 000005
【図４】
0003735223.tif 000006